(57)【特許請求の範囲】
【請求項１】
電線を含む線状体と、
長板状の取付板と、車体に固定可能な車体固定部とを含み、前記取付板の一方主面から他方主面に向けて孔開け加工されることにより、前記取付板に貫通孔が形成されると共に、前記貫通孔の前記他方主面側の開口周縁部に孔開け加工痕による突起部が形成された電線固定部品と、
前記取付板の他方主面を前記線状体の表面に接触させた状態で、前記線状体と前記取付板とを結束する結束部材と、
を備え、
前記電線に直接的に前記電線固定部品が取付けられている、ワイヤーハーネス。  
【請求項２】
電線を含む線状体と、
長板状の取付板と、車体に固定可能な車体固定部とを含み、前記取付板の一方主面から他方主面に向けて孔開け加工されることにより、前記取付板に貫通孔が形成されると共に、前記貫通孔の前記他方主面側の開口周縁部に孔開け加工痕による突起部が形成された電線固定部品と、
前記取付板の他方主面を前記線状体の表面に接触させた状態で、前記線状体と前記取付板とを結束する結束部材と、
を備え、
前記貫通孔は、多角形孔形状に形成されている、ワイヤーハーネス。
【請求項３】
請求項２に記載のワイヤーハーネスであって、
前記線状体は、不織部材が前記電線を覆った状態でホットプレスされた保護部を含む、ワイヤーハーネス。
【請求項４】
請求項１〜請求項３のいずれか１項に記載のワイヤーハーネスであって、
前記貫通孔及び前記突起部が複数形成されている、ワイヤーハーネス。
【請求項５】
請求項１〜請求項４のいずれか１項に記載のワイヤーハーネスであって、
前記貫通孔及び前記突起部は、前記取付板にプレス加工による孔開け加工を行うことにより形成されている、ワイヤーハーネス。
【請求項６】
長板状の取付板と、
車体に固定可能な車体固定部と、
を備え、
前記取付板の一方主面から他方主面に向けて孔開け加工されることにより、前記取付板に貫通孔が形成されると共に、前記貫通孔の前記他方主面側の開口周縁部に孔開け加工痕による突起部が形成されており、
前記貫通孔は、多角形孔形状に形成されている、電線固定部品。
【請求項７】
（ａ）長板状の取付板と、車体に固定可能な車体固定部とを含む部品を準備する工程と、
（ｂ）前記取付板の一方主面から他方主面に向けて孔開け加工することにより、前記取付板に貫通孔を形成すると共に、前記貫通孔の前記他方主面側の開口周縁部に孔開け加工痕による突起部を形成する工程と、
を備える電線固定部品の製造方法により電線固定部品を製造し、
前記取付板の他方主面を電線束周りの表面に直接的に接触させた状態で、前記電線束と前記取付板とを結束して、前記電線固定部品を前記電線束に取付ける、ワイヤーハーネスの製造方法。
【発明の詳細な説明】
【技術分野】
【０００１】
この発明は、ワイヤーハーネスを車両等に固定するための技術に関する。
【背景技術】
【０００２】
特許文献１は、電線を含む線状体に結束される基部及び前記基部から起立して形成されるクランプ部を有する電線固定具を開示している。前記基部は、線状体と結束される４つの張出部を有しており、この張出部に突起部が形成されている。そして、この突起部が、線状体の表面の凹み若しくは電線間の隙間に入り込むことにより、電線固定具と線状体との位置ずれ等が防止されるようになっている。
【先行技術文献】
【特許文献】
【０００３】
【特許文献１】特開２０１３−７４７４７号公報
【発明の概要】
【発明が解決しようとする課題】
【０００４】
しかしながら、特許文献１に開示の技術によると、突起部は、張出部に対して一体的に金型成型されているため、金型形状が複雑化し、製造コスト増を招くという問題がある。
【０００５】
また、張出部に突起部を形成する分、電線固定具が重くなってしまうという問題がある。
【０００６】
そこで、本発明は、より低コストかつより軽量な構成によって、電線を含む線状体と電線固定部品との位置ずれを抑制することを目的とする。
【課題を解決するための手段】
【０００７】
上記課題を解決するため、第１の態様に係るワイヤーハーネスは、電線を含む線状体と、長板状の取付板と、車体に固定可能な車体固定部とを含み、前記取付板の一方主面から他方主面に向けて孔開け加工されることにより、前記取付板に貫通孔が形成されると共に、前記貫通孔の前記他方主面側の開口周縁部に孔開け加工痕による突起部が形成された電線固定部品と、前記取付板の他方主面を前記線状体の表面に接触させた状態で、前記線状体と前記取付板とを結束する結束部材と、を備え、前記電線に直接的に前記電線固定部品が取付けられているものである。
【０００８】
第２の態様は、電線を含む線状体と、長板状の取付板と、車体に固定可能な車体固定部とを含み、前記取付板の一方主面から他方主面に向けて孔開け加工されることにより、前記取付板に貫通孔が形成されると共に、前記貫通孔の前記他方主面側の開口周縁部に孔開け加工痕による突起部が形成された電線固定部品と、前記取付板の他方主面を前記線状体の表面に接触させた状態で、前記線状体と前記取付板とを結束する結束部材と、を備え、前記貫通孔は、多角形孔形状に形成されているものである。
第３の態様は、第２の態様に係るワイヤーハーネスであって、前記線状体は、不織部材が前記電線を覆った状態でホットプレスされた保護部を含むものである。
第４の態様は、第１〜第３のいずれか１つの態様に係るワイヤーハーネスであって、前記貫通孔及び前記突起部が複数形成されているものである。
【０００９】
第５の態様は、第１〜第４のいずれか１つの態様に係るワイヤーハーネスであって、前記貫通孔及び前記突起部は、前記取付板にプレス加工による孔開け加工を行うことにより形成されているものである。
【００１２】
第６の態様に係る電線固定部品は、長板状の取付板と、車体に固定可能な車体固定部と、を備え、前記取付板の一方主面から他方主面に向けて孔開け加工されることにより、前記取付板に貫通孔が形成されると共に、前記貫通孔の前記他方主面側の開口周縁部に孔開け加工痕による突起部が形成され、前記貫通孔は、多角形孔形状に形成されているものである。
【００１３】
第７の態様に係るワイヤーハーネスの製造方法は、（ａ）長板状の取付板と、車体に固定可能な車体固定部とを含む部品を準備する工程と、（ｂ）前記取付板の一方主面から他方主面に向けて孔開け加工することにより、前記取付板に貫通孔を形成すると共に、前記貫通孔の前記他方主面側の開口周縁部に孔開け加工痕による突起部を形成する工程と、を備える電線固定部品の製造方法により電線固定部品を製造し、前記取付板の他方主面を電線束周りの表面に直接的に接触させた状態で、前記電線束と前記取付板とを結束して、前記電線固定部品を前記電線束に取付ける。
【発明の効果】
【００１４】
第１〜第７の態様によると、取付板に孔開け加工することによって、取付板に貫通孔を形成すると共に、その貫通孔の開口周縁部に突起部を形成することができるため、電線固定部品をより低コストかつより軽量な構成とすることができる。また、取付板の他方主面を線状体の表面に接触させた状態で、突起部を線状体の表面に接触させることで、線状体と電線固定部品との位置ずれを抑制することができる。
【００１５】
第４の態様によると、複数の貫通孔によって電線固定部品をより軽量化することができる。また、複数の突起部が線状体の表面に接触するため、線状体の延在方向と取付板の延在方向とを一致させた状態に維持し易い。
【００１６】
第５の態様によると、プレス加工による孔開け加工によって、貫通孔及び突起部を容易に形成することができる。
【００１７】
第２及び第６の態様によると、貫通孔の開口周縁部の長さ寸法を大きくして、突起部の長さを大きくすることができる。これにより、取付板の強度を良好なものにしつつ、線状体と電線固定部品との位置ずれ抑制効果を高めることができる。
【００１８】
第３の態様によると、突起部が保護部の表面に喰い込むことで、線状体と電線固定部品との位置ずれを有効に抑制することができる。
【００１９】
第６の態様に係るワイヤーハーネスによると、取付板に孔開け加工することによって、取付板に貫通孔を形成すると共に、その貫通孔の開口周縁部に突起部を形成することができるため、電線固定部品をより低コストかつより軽量な構成とすることができる。また、取付板の他方主面を線状体の表面に接触させた状態で、突起部を線状体の表面に接触させることで、線状体と電線固定部品との位置ずれを抑制することができる。
【図面の簡単な説明】
【００２０】
【図１】第１実施形態に係るワイヤーハーネスを示す概略側面図である。
【図２】同上のワイヤーハーネスを示す概略平面図である。
【図３】図１のＩＩＩ-ＩＩＩ線における概略断面図である。
【図４】太径のワイヤーハーネスに電線固定部品を取付けた状態を示す概略断面図である。
【図５】電線固定部品を示す概略斜視図である。
【図６】電線固定部品を示す概略平面図である。
【図７】電線固定部品の貫通孔及び突起部を含む部分の概略斜視図である。
【図８】同上の部分の概略断面図である。
【図９】突起部が保護部材に食込んでいる状態を示す説明図である。
【図１０】車体固定部の製造工程を示す説明図である。
【図１１】車体固定部の製造工程を示す説明図である。
【図１２】車体固定部の製造工程を示す説明図である。
【発明を実施するための形態】
【００２１】
以下、実施形態に係るワイヤーハーネス及び電線固定部品について説明する。図１はワイヤーハーネス１０を示す概略側面図であり、図２は同ワイヤーハーネス１０を示す概略平面図であり、図３は図１のＩＩＩ-ＩＩＩ線における概略断面図である。
【００２２】
＜ワイヤーハーネスの全体構成について＞
このワイヤーハーネス１０は、線状体１２と、電線固定部品３０と、結束部材５０とを備える。
【００２３】
線状体１２は、少なくとも１本の電線１４ａを含んでいる。ここでは、線状体１２は、複数の電線１４ａが束ねられた電線束１４と、当該電線束１４を覆う保護部材２０とを備える。
【００２４】
上記電線束１４は、複数の電線１４ａが配設対象である車体１００の配線経路に応じた態様で束ねられることにより構成されている。複数の電線１４ａは、通常、その延在方向に対して直交する平面における横断面形状が円形状となるように束ねられる。電線束１４は、本電線固定部品３０が取付けられる箇所又はその他の箇所で分岐していてもよい。この電線束１４は、車体１００に敷設された状態で、各種車載電気部品同士を電気的に接続する配線材として用いられる。本電線束１４には、光ケーブル等が含まれていてもよい。
【００２５】
保護部材２０は、不織部材２０ａ（例えば、不織布）が少なくとも１本の電線１４ａ（ここでは、電線束１４）を覆った状態でホットプレスされることにより形成される。保護部材２０は、電線束１４の延在方向全体を覆っていてもよいし、電線束１４の延在方向の一部を覆っていてもよい。
【００２６】
不織部材としては、加熱工程を経ることにより硬くなることが可能なものを用いることができる。このような不織部材として、基本繊維と、これと絡み合う接着樹脂（バインダとも呼ばれる）とを含むものを用いることができる。接着樹脂は、基本繊維の融点よりも低い融点（例えば、１１０℃〜１１５℃）を有する樹脂である。不織部材を基本繊維の融点よりも低くかつ接着樹脂の融点よりも高い加工温度に加熱すると、接着樹脂が溶融して基本繊維間に染込む。その後、不織部材が接着樹脂の融点よりも低い温度になると、基本繊維同士を結合した状態で接着樹脂が固化する。これより、不織部材が加熱前の状態よりも硬くなり、加熱時の成形形状に維持される。また、不織部材同士が接触している部分では、当該接触部分にも溶融した接着樹脂が染込んで固化する。これにより、不織部材同士の接触部分が接合される。
【００２７】
基本繊維は、接着樹脂の融点で繊維状態を保ち得る繊維であればよく、樹脂繊維の他、各種繊維を用いることができる。また、接着樹脂としては、基本繊維の融点よりも低い融点を持つ熱可塑性樹脂繊維を用いることができる。接着樹脂は、粒状であっても繊維状であってもよい。また、芯繊維の外周に接着樹脂層を形成してバインダ繊維を構成し、これを基本繊維と絡み合わせるようにしてもよい。この場合の芯繊維としては、上記基本繊維と同材料のものを用いることができる。
【００２８】
基本繊維と接着樹脂の組み合わせとしては、基本繊維をＰＥＴ（ポリエチレンテレフタレート）の樹脂繊維とし、接着樹脂をＰＥＴとＰＥＩ（ポリエチレンイソフタレート）の共重合樹脂とした例が挙げられる。この場合、基本繊維の融点はおよそ２５０℃であり、接着樹脂の融点は１１０℃〜１５０℃である。このため、不織部材を１１０℃〜２５０℃の温度に加熱すると、接着樹脂が溶融し、溶融せずに繊維状を保つ基本繊維間に染込む。そして、不織部材が接着樹脂の融点よりも低い温度になると、基本繊維同士を結合した状態で接着樹脂が固化し、上記成形形状の維持及び不織部材同士の接合を行う。
【００２９】
また、ホットプレスとは、不織部材に対する加熱処理及び不織部材を型に押付けて所定形状に形成する処理を施すことをいう。加熱処理と所定形状への形成処理とは、同時に行われてもよいし、或は、連続的に別々に行われてもよい。
【００３０】
そして、電線束１４に不織部材２０ａを巻付けた状態で、半円周面状の型面を有する一対の金型間で前記不織部材２０ａを挟込んだ状態で、当該金型を加熱する。すると、電線束１４に巻付けられた不織部材２０ａは、電線束１４を覆った円筒状の形状で硬化する。
【００３１】
保護部材２０の外周形状は、金型の型面の形状に応じて決定される。保護部材２０の外周形状は、どのような形状に形成されてもよいが、円柱又は楕円柱の外周面形状に形成することが好ましい。このような形状であれば、金型の型面を簡易に形成でき、保護部材２０を簡易に形成できるからである。また、保護部材２０の外周面全体が滑らかな曲面形状を呈し、美観的にも優れるからである。
【００３２】
なお、ここでは、保護部材２０は、直線状に形成されているが、途中で曲っていてもよい。また、電線束が途中で分岐している場合には、保護部材は、そのような分岐部分をも覆えるような分岐形状に形成されていてもよい。
【００３３】
電線固定部品３０は、上記線状体１２に取付けられた状態で車体１００に固定されることで、電線１４ａを車体１００に対して一定位置及び一定姿勢で支持するための部材である。
【００３４】
電線固定部品３０は、取付板３２と、車体固定部４０とを備えており、樹脂部品である。
【００３５】
取付板３２は、細長板状に形成されている。取付板３２の幅寸法は、保護部材２０の外径寸法と同じかこれよりも小さく設定され、当該保護部材２０の両側にはみ出ないようになっていることが好ましいが、これは必須ではない。取付板３２の長さ寸法は、車体固定部４０から外方に延出する部分に粘着テープ５２を巻付け可能な程度の大きさに設定されている。
【００３６】
この取付板３２には、貫通孔３４及び突起部３６が形成されている。この貫通孔３４及び突起部３６については、後で詳述する。
【００３７】
また、車体固定部４０は、取付板３２の一方の主面（図１では下面）の延在方向中間部より突出するように一体成型されている。この車体固定部４０は、車体１００に固定可能に形成されている。この車体固定部４０についても、後で詳述する。
【００３８】
結束部材５０は、取付板３２の他方主面（図１では上面）を線状体１２の表面に接触させた状態で、線状体１２と取付板３２とを結束する部材である。ここでは、結束部材５０として、粘着テープ５２が用いられている。
【００３９】
すなわち、取付板３２の延在方向を線状体１２の延在方向と一致させた状態で、取付板３２の他方主面を線状体１２の外周面の一部に接触させる。この状態で、取付板３２の両端側部分及び線状体１２に、粘着テープ５２を螺旋状に巻付ける。これにより、電線固定部品３０が線状体１２に対して取付けられる。
【００４０】
なお、結束部材としては、粘着テープの他、結束バンド等が用いられてもよい。
【００４１】
上記取付構造においては、粘着テープ５２によって取付板３２が線状体１２に対して一定位置に保持されている。
【００４２】
しかしながら、粘着テープ５２による保持力だけであると、線状体１２に対して取付板３２がずれてしまうことがある（図３の矢符Ｑ参照）。特に、車体固定部４０を車体１００に固定した状態で、線状体１２に対して何らかの外力が加わると、車体固定部４０を中心として取付板３２に対して線状体１２がねじれてしまう恐れがある。
【００４３】
特に、不織部材で形成された保護部材２０の表面では、取付板３２は滑ってずれ易い。
【００４４】
また、図４に示すように、線状体１２に対応する線状体１２Ｂの直径寸法が取付板３２の幅寸法よりも大きいと、巻回された粘着テープ５２が取付板３２を線状体１２に向けて押付ける力が弱くなる。このため、線状体１２Ｂの直径寸法が大きい場合にも、取付板３２は位置ずれし易い。
【００４５】
そこで、本電線固定部品３０には、線状体１２、１２Ｂと取付板３２との位置ずれを抑制するための構成が形成されている。
【００４６】
＜電線固定部品について＞
電線固定部品３０についてより詳細に説明する。図５は電線固定部品３０を示す概略斜視図であり、図６は同電線固定部品３０を示す概略平面図であり、図７は電線固定部品３０の貫通孔３４及び突起部３６を含む部分の概略斜視図であり、図８は同部分の概略断面図であり、図９は突起部３６が保護部材２０に食込んでいる状態を示す説明図である。
【００４７】
既に説明したように電線固定部品３０は、細長板状に形成された取付板３２と、車体固定部４０とを備える。
【００４８】
取付板３２には、貫通孔３４及び突起部３６が形成されている。
【００４９】
ここでは、取付板３２には、貫通孔３４及び前記突起部３６が複数形成されている。より具体的には、取付板３２のうち車体固定部４０を挟む両端側の部分に、少なくとも１つ（ここでは複数）の貫通孔３４が形成されている。ここでは、取付板３２の各端部において、合計８つの貫通孔３４が、２列に分れて取付板３２の延在方向に沿って並ぶように形成されている。
【００５０】
なお、取付板には、貫通孔及び突起部が１つのみ形成されていてもよい。もっとも、上記のように、突起部３６が複数形成されていれば、線状体１２に対する取付板３２の位置ずれ及びねじれが抑制される。特に、複数の突起部３６が取付板３２の延在方向において離れて複数形成されていれば、取付板３２に対して線状体１２がねじれてしまうことを有効に抑制することができる。
【００５１】
上記貫通孔３４は、取付板３２に対してその一方主面（図５等では下面）から他方主面（図５等では上面）に向けて孔開け加工することにより形成されている。
【００５２】
突起部３６は、そのような孔開け加工を行う際の加工痕として、貫通孔３４の他方主面側（図５等では上側）の開口周縁部に形成されている。従って、突起部３６は、取付板３２に対して、車体固定部４０とは反対側に突出するように形成されている。
【００５３】
上記突起部３６は、取付板３２に対してその一方主面から他方主面に向けて孔開け加工することにより形成されるものであるため、前記他方主面側に突出する形状には形成されるが、その他は不定型な形状である。通常、突起部３６は、貫通孔３４の開口周縁部に沿ってギザギザに突出する形状、又は、当該開口周縁部から部分的に突出する形状となる。突起部３６の突出寸法は、１．０ｍｍ〜２．０ｍｍ程度であることが好ましい。
【００５４】
上記貫通孔３４及び突起部３６を形成するための孔開け加工としては、プレス加工、ドリル、キリによる孔開け加工等を採用することができる。特に、プレス加工によると、工具を回転させずに孔開け加工を容易に行え、また、多数の孔開け加工も一括して容易に行えるという点で利点がある。
【００５５】
そして、取付板３２の他方主面を線状体１２の表面に接触させた状態で、取付板３２が線状体１２に結束されると、それらの接触部分では、突起部３６が保護部材２０の表面に接触して喰い込む（図９参照）。これにより、線状体１２と取付板３２との位置ずれが抑制される。
【００５６】
また、貫通孔３４は、多角形孔形状、ここでは、正六角形孔形状に形成されている。貫通孔は、円孔形状、三角形孔形状、四角形孔形状等に形成されていてもよい。もっとも、加工痕としての突起部は、貫通孔の開口周縁部に沿って形成されるため、突起部の形成領域を大きして、より多くの突起部が線状体１２の表面に接触するようにするためには、貫通孔の開口周縁部の長さを大きくすることが有利である。そのためには、貫通孔を円孔形状に形成するよりも、多角形孔形状に形成することが好ましい。また、取付板の強度を維持するためには、貫通孔を正六角形孔形状として、複数の貫通孔を、互いの間の隙間がなるべく小さくなるようにレイアウトしたハニカム構造とすることが好ましい。
【００５７】
また、車体固定部４０は、皿状部４２と係止ロック部４４とを備えている。従って、取付板３２は、車体固定部４０の両側方に延出している。皿状部４２は、係止ロック部４４側に向けて順次広がる皿状に形成されており、皿バネとして用いられる部分である。また、係止ロック部４４は、皿状部４２の内側の中央部に突出形成された部分であり、柱部４５と一対の弾性片４６とを備える。柱部４５は、皿状部４２の中央部から外方に突出する形状に形成されている。また、一対の弾性片４６は、柱部４５の先端部から基端部に向けて外方に広がるように延在する形状に形成されている。一対の弾性片４６は、柱部４５に対して近づく方向及び遠ざかる方向に弾性変形可能に構成されている。
【００５８】
この車体固定部４０は、車体１００に形成された固定孔１０２に挿入されることで当該車体１００に固定される部分である。すなわち、本車体固定部４０を固定孔１０２に挿入すると、一対の弾性片４６が固定孔１０２の周縁部に接触し、内向きに弾性変形する。そして、車体固定部４０がさらに押込まれ、一対の弾性片４６が固定孔１０２の周縁部を乗越えると、一対の弾性片４６は弾性力によって元形状に戻るように変形しようとする。すると、一対の弾性片４６の先端部が固定孔１０２の周縁部に対して車体固定部４０の挿入方向反対側から係止し、固定孔１０２の周縁部が、皿状部４２と一対の弾性片４６の先端部との間で挟込まれる。これにより、車体固定部４０が車体１００に対して固定される。
【００５９】
このような取付板３２及び車体固定部４０を備えた電線固定部品３０は、袖形クランプとも呼ばれる。なお、車体固定部に対して両側に取付板が延出しているものを両袖クランプといい、車体固定部に対して一方側にのみ取付板が延出しているものを片袖クランプということがある。ここでは、電線固定部品３０が両袖クランプである例で説明するが、片袖クランプであってもよい。また、線状体に沿って取付けられる取付板の側方に延出する延出板が形成され、当該延出板に車体固定部が形成されていてもよい。このような部品は、オフセットクランプと呼ばれることがある。
【００６０】
もっとも、車体固定部は、車体に対して固定可能な構成であればよく、上記構成である必要はない。例えば、車体の板状部分を一対の歯形状部分で挟込んで固定する構成、車体より突設されたスタッドボルトが挿通された状態でナット締めされることで固定される構成、車体より突設された細長板状のブラケット板が挿入されて係止固定される構成等であってもよい。
【００６１】
上記車体固定部４０の一製造例について説明する。
【００６２】
まず、図１０に示すように、長板状の取付板３２Ｂと、車体固定部４０とを含む部品３０Ｂを準備する。この部品３０Ｂは、上記電線固定部品３０において、貫通孔３４及び突起部３６が形成されてない構成である。かかる部品３０Ｂ自体としては、一般的な袖型クランプと呼ばれる部品と同じものを用いることができる。このため、樹脂成型金型を変更することなく、追加の孔開け加工を施すことによって、本電線固定部品３０を製造することができる。
【００６３】
次に、図１１及び図１２に示すように、取付板３２Ｂの一方主面（図１１及び図１２の上面）から他方主面（（図１１及び図１２の上面））に向けて孔開け加工することにより、前記取付板３２Ｂに貫通孔３４を形成すると共に、貫通孔３４の他方主面側の開口周縁部に孔開け加工痕による突起部３６を形成する。
【００６４】
すなわち、貫通孔３４の形成予定位置に、当該貫通孔３４よりも大きい貫通孔６２が形成された下型６０を準備し、この下型６０上に取付板３２Ｂを配設する。この際、取付板３２Ｂの他方主面（車体固定部４０が形成された面とは反対側の面）を下型６０側に向けた状態とする。
【００６５】
また、下型６０の上方に配設される上型７０として、上型板７２の下向き面であって各貫通孔３４に対応する位置に打抜き型７４が複数突設されたものを準備する。打抜き型７４は、貫通孔３４の内周に沿った形状の環状刃であってもよいし、貫通孔３４の内径寸法と同じ外径寸法を有する円柱状に形成されたものであってもよい。
【００６６】
そして、この上型７０を下型６０に向けて、エアシリンダ等の駆動機構部によって移動させると、打抜き型７４が、貫通孔３４の形成予定位置で、取付板３２Ｂに押し当てられ、当該取付板３２Ｂに切込んでいく。そして、打抜き型７４が取付板３２Ｂを打抜く寸前の状態で、取付板３２Ｂのうち打抜き型７４の進行方向前方に位置する部分が、貫通孔３４の開口周縁部から分岐せずに残存し、この加工痕が上記突起部３６を形成することになる（図１２参照）。
【００６７】
上記のような加工痕による突起部は、打抜き加工による場合の他、ドリル又はキリによる孔開け加工によって生じ得る。
【００６８】
以上のように構成されたワイヤーハーネス１０及び電線固定部品３０によると、取付板３２Ｂに孔開け加工することによって、取付板３２に、貫通孔３４と、当該貫通孔３４の開口周縁部の突起部３６とを形成することができる。このため、射出成形用の金型を複雑化等することなく、電線固定部品３０を低コストで製造できる。また、取付板３２に貫通孔３４が形成されている分、電線固定部品３０の軽量化を図ることもできる。また、取付板３２の他方主面を線状体１２の表面に接触させた状態で、突起部３６を線状体１２の表面に接触させることができ、これにより、線状体１２と電線固定部品３０との位置ずれを抑制することができる。
【００６９】
特に、線状体の外周に不織部材によって形成された保護部材が露出している場合、及び、線状体１２が太径である場合の少なくとも一方である場合には、線状体に対して電線固定部品が位置ずれし易い。そこで、これらの場合に、本電線固定部品３０を適用することが有効である。
【００７０】
また、複数の突起部３６を形成することによって、電線固定部品３０に対する線状体１２のねじれを抑制することができ、車体１００に対して線状体１２をより確実に一定位置及び一定姿勢で保持できる。これにより、車体１００への組付後において、車体１００に対する線状体１２のがたつきを抑制でき、車両全体としての品質向上を図ることもできる。さらに、線状体１２を車体１００に組付けた状態で、車体１００に対する線状体のがたつきを考慮せずに又は考慮範囲を少なくして、ワイヤーハーネスのレイアウト設計等を実施できるため、当該設計を簡易に行えることになる。
【００７１】
また、保護部材に対する電線固定部品の位置ずれを抑制する構成としては、保護部材に、電線固定部品の取付に適した形状を形成することも考えられる。そのような形状としては、例えば、保護部材に、電線固定部品を一定位置に支持するための平面形状又は凹み形状等を形成することが考えられる。しかしながら、その場合、保護部材を形成するための金型形状が複雑化してしまう。また、線状体に対する電線固定部品の取付位置が固定されてしまうため、設計変更等は難しくなる。また、保護部材に、上記平面形状又は凹み形状等を形成すると、見栄えが悪くなってしまう恐れがある。
【００７２】
ところが、本実施形態では、電線固定部品３０に形成された突起部３６によって上記位置ずれ抑制を図っているため、上記のような問題を解消して、保護部材２０を容易に加工し、また、設計変更に容易に対応でき、さらに、見栄えもよくすることができる。
【００７３】
また、複数の貫通孔３４が形成されているため、電線固定部品３０をより軽量化することができる。また、複数の突起部３６が線状体１２の表面に接触するため、線状体１２の延在方向と取付板３２の延在方向とを一致させた状態に維持し易く、両者間のねじれを有効に抑制できる。
【００７４】
また、貫通孔３４及び取付板３２は、打抜き加工によって形成されているため、容易に加工できる。特に、複数の貫通孔３４及び取付板３２を一括して容易に形成し易い。
【００７５】
｛変形例｝
なお、上記実施形態では、線状体１２が、電線束１４周りを保護部材２０が覆う構成である例で説明したが、必ずしもそのような構成である必要はない。例えば、電線束周りに直接的に電線固定部品が取付けられる構成であってもよい。このような場合であっても、上記突起部が電線束を構成する電線の表面に接触することにより、電線束と電線固定部品との位置ずれを抑制することができる。
【００７６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７７】
１０  ワイヤーハーネス
１２、１２Ｂ  線状体
１４  電線束
１４ａ  電線
２０  保護部材
２０ａ  不織部材
３０  電線固定部品
３０Ｂ  部品
３２  取付板
３４  貫通孔
３６  突起部
４０  車体固定部
５０  結束部材
６０  下型
７０  上型
７４  打抜き型
【図１】
0005999072.tif 000002
【図２】
0005999072.tif 000003
【図３】
0005999072.tif 000004
【図４】
0005999072.tif 000005
【図５】
0005999072.tif 000006
【図６】
0005999072.tif 000007
【図７】
0005999072.tif 000008
【図８】
0005999072.tif 000009
【図９】
0005999072.tif 000010
【図１０】
0005999072.tif 000011
【図１１】
0005999072.tif 000012
【図１２】
0005999072.tif 000013